(57)【要約】      （修正有）【課題】異なる体型の被験者を収容でき互換性を高める薄型医療定位装置を提供する。【解決手段】薄型医療定位装置１はプラットフォーム１１上の目標体に対して定位を行い、プラットフォーム１１の長辺に沿ってそれぞれ延伸して設置される２個のレール２、弧状構造３、プルーブ４を有する。弧状構造３の両端は２個のレール２にそれぞれ連接され、第一移動メカニズム、金属ハウジング、第二移動メカニズム、第三移動メカニズムを有する。弧状構造３は第一移動メカニズムにより２個のレール２上で、ディレクションＤに沿って往復移動する。プルーブ４は金属ハウジングに連接する。プルーブ４は第三移動メカニズムにより適当な角度に調整され、目標体に対して医療定位を行う。【選択図】図１
0003200610.tif 000002
【実用新案登録請求の範囲】
【請求項１】
薄型医療定位装置であって、前記医療定位装置は、プラットフォーム上の目標体に対して定位を行い、２個のレール、弧状構造、プルーブを有し、
前記２個のレールは、前記プラットフォーム長辺に沿ってそれぞれ延伸して設置され、
前記弧状構造の両端は、前記２個のレールにそれぞれ連接され、第一移動メカニズム、金属ハウジング、第二移動メカニズム及び第三移動メカニズムを有し、
前記弧状構造は、前記第一移動メカニズムにより、前記２個のレール上で、第一ディレクションに沿って往復移動し、前記金属ハウジングは、前記弧状構造内側に設置され、且つ前記第二移動メカニズムにより、前記弧状構造内側において、第二ディレクションに沿って往復移動し、
前記プルーブは、前記金属ハウジングに連接し、前記プルーブは、前記第三移動メカニズムにより、適当な角度に調整され、目標体に対して医療定位を行うことを特徴とする、
薄型医療定位装置。
【請求項２】
前記医療定位装置は、ＭＲＩ（ＭａｇｎｅｔｉｃＲｅｓｏｎａｎｃｅＩｍａｇｉｎｇ）装置であることを特徴とする請求項１に記載の薄型医療定位装置。
【請求項３】
前記医療定位装置は、ＣＴ（ＣｏｍｐｕｔｅｄＴｏｍｏｇｒａｐｈｙ）装置であることを特徴とする請求項１に記載の薄型医療定位装置。
【請求項４】
前記第一移動メカニズムは、第一モーター、第一ギアセット、第一ラックを有し、前記第一モーターは、前記弧状構造の両端の何れかに設置され、前記第一ギアセットは、前記第一モーターに連接され、前記第一ラックは、前記第一ギアセットに対応し、前記２個のレールの内の何れかに設置され、前記第一ギアセットと相互に噛み合うことを特徴とする請求項１に記載の薄型医療定位装置。
【請求項５】
前記第二移動メカニズムは、第二モーター、第二ギアセット、第二ラックを有し、前記第二モーターは、前記弧状構造の内側に設置され、前記第二ギアセットは、前記第二モーターに連接され、前記第二ラックは、前記金属ハウジング上に設置され、前記第二ギアセットと相互に噛み合うことを特徴とする請求項１に記載の薄型医療定位装置。
【請求項６】
前記第三移動メカニズムは、第三モーター、螺旋ギア、第三ギアセットを有し、前記第三モーターは、前記金属ハウジング上に設置され、前記螺旋ギアは、前記第三モーターに連接され、前記第三ギアセットは、前記プルーブ上に設置され、前記螺旋ギアと相互に噛み合うことを特徴とする請求項１に記載の薄型医療定位装置。
【請求項７】
前記第三移動メカニズムはスイベルプレートをさらに有し、その一端は、前記第三ギアセットに連接され、反対端は、前記プルーブに連接されることを特徴とする請求項６に記載の薄型医療定位装置。
【請求項８】
前記金属ハウジングは、チタン、アルミニウム或いは銅の内の何れかにより製造されることを特徴とする請求項１に記載の薄型医療定位装置。
【考案の詳細な説明】
【技術分野】
【０００１】
本考案は薄型医療定位装置に関し、特に金属ハウジングを利用してプルーブに連接し、医療定位装置を薄型化し、医療定位装置の体積を効果的に縮小し、異なる体型の被験者を収容可能とし、互換性を高める薄型医療定位装置に関する。
【背景技術】
【０００２】
ここ数年の医学技術の進歩により、医師が病人の病情を診断する際には、医師自身の医学の専門性により判断する他に、しばしば医療検査装置を利用して病状の確定を補佐する。
例えば、ＣＴ（ＣｏｍｐｕｔｅｄＴｏｍｏｇｒａｐｈｙ）、ＭＲＩ（ＭａｇｎｅｔｉｃＲｅｓｏｎａｎｃｅＩｍａｇｉｎｇ）、医療用超音波、肺機能装置、心電図、血圧計、眼圧計、Ｘ線検査装置、或いは生化学検査設備等がある。
医師は、検査結果に基づき、即時に正確な治療方式を決定する。
【０００３】
中でも、ＣＴ装置は発明以来、非常に重要な医療検査ツールである。
その原理は、無数の正確なＸ線、γ線或いは超音波線を人体に通し、敏感度が極めて高いディテクターを対応させ人体の検査部位を一緒に取り巻くことで断面をスキャンするものである。
その走査時間は素早く、空間解析度が高い等の長所を備えるため、現在では多種の疾病検査に用いられている。
それは、採用する射線の違いに応じて、Ｘ線ＣＴ（Ｘ−ＣＴ）、γ線ＣＴ（γ−ＣＴ）、超音波ＣＴ（ＵＣＴ）に分類される。
【０００４】
ＭＲＩ装置は、近年重要性が増している医療検査ツールである。
その原理は、無線周波数電磁波により体内の水及び脂肪中の水素原子を刺激して共振し、異なる強度の信号を発生させて影像を得るものである。
それにより得られる影像は非常に明晰であるため、医師の診断効率を大きく向上させており、ＣＴ装置に比較し、ＭＲＩ装置は軟組織の構造をはっきり表示することができる。
【０００５】
ＣＴ装置もＭＲＩ装置も、医療イメージングシステムの構造は、設備本体、検査トンネル及び検査プラットフォームを有する。
設備本体は、検査トンネルを貫いて設置される。
検査プラットフォームは、軸方向に延伸し、設備本体を貫通し、且つ検査プラットフォームは、検査トンネル内に往復移動可能なように設置される。
設備本体内では通常は、エネルギーコンバーターを一緒に使用し、これにより即時の影像再生を行うことができる。
これにより、エネルギーが被験者に加えられると、エネルギーの強度、方向及び位置は、隨時探知及び制御される。
【０００６】
しかしながら、ＣＴ装置もＭＲＩ装置も、エネルギーコンバーターが大きいため、設備本体は巨大にならざるを得ず、検査トンネル空間はその影響を受け、小さくなっている。
このため、身体が大きい被験者は、検査プラットフォームに横たわっても、検査トンネルを通過できず、検査できないという状況が発生し得る。
【０００７】
また、エネルギーコンバーターが被験者の目標組織区域に正確に照準を合わせられるようにするため、医療イメージングシステムは医療定位装置を必ず有する。
医療定位装置には、エネルギーコンバーターを駆動するための多くの移動メカニズムを設置する。
該各移動メカニズムは、モーター、チェーンの駆動構造により、移動の目的を達成する。
しかし、この種の駆動構造は、チェーン干渉によりしばしばメンテナンスを行う必要がある。
【考案の概要】
【考案が解決しようとする課題】
【０００８】
前記説明により分かるように、従来技術は、設備本体が巨大なため検査トンネル空間が小さく、身体が大きい被験者の検査に不便で、且つエネルギーコンバーターの照準合わせのために医療定位装置には移動メカニズムを設置するが、その駆動構造はチェーン干渉によりしばしばメンテナンスを行う必要があるという欠点がある。
【課題を解決するための手段】
【０００９】
本考案は金属ハウジングを利用してプルーブに連接し、医療定位装置を薄型化し、医療定位装置の体積を効果的に縮小し、こうして異なる体型の被験者を収容可能とし、互換性を高める薄型医療定位装置に関する。
【００１０】
本考案はメンテナンスが便利な薄型医療定位装置に関する。
【００１１】
本考案による薄型医療定位装置において、医療定位装置は、プラットフォーム上の目標体に対して定位を行い、２個のレール、弧状構造、プルーブを有する。
該２個のレールは、該プラットフォーム長辺に沿ってそれぞれ延伸して設置される。
該弧状構造の両端は、該２個のレールにそれぞれ連接され、第一移動メカニズム、金属ハウジング、第二移動メカニズム、及び第三移動メカニズムを有する。
該弧状構造は、該第一移動メカニズムにより、該２個のレール上で、第一ディレクションに沿って往復移動する。
該金属ハウジングは、該弧状構造内側に設置され、且つ該第二移動メカニズムにより、該弧状構造内側において、第二ディレクションに沿って往復移動する。
該プルーブは、該金属ハウジングに連接し、該第三移動メカニズムにより、該プルーブを適当な角度に調整し、目標体に対して医療定位を行う。
【００１２】
本考案の一実施形態において、該医療定位装置は、ＭＲＩ（ＭａｇｎｅｔｉｃＲｅｓｏｎａｎｃｅＩｍａｇｉｎｇ）装置である。
【００１３】
本考案の一実施形態において、該医療定位装置は、ＣＴ（ＣｏｍｐｕｔｅｄＴｏｍｏｇｒａｐｈｙ）装置である。
【００１４】
本考案の一実施形態において、該第一移動メカニズムは、第一モーター、第一ギアセット、第一ラックを有する。
該第一モーターは、該弧状構造の両端の何れかに設置され、該第一ギアセットは、該第一モーターに連接される。
該第一ラックは、該第一ギアセットに対応し、該２個のレールの内の何れかに設置され、該第一ギアセットと相互に噛み合う。
【００１５】
本考案の一実施形態において、該第二移動メカニズムは、第二モーター、第二ギアセット、第二ギアセットを有する。
該第二モーターは、該弧状構造の内側に設置される。
該第二ギアセットは、該第二モーターに連接される。
該第二ラックは、該金属ハウジング上に設置され、該第二ギアセットと相互に噛み合う。
【００１６】
本考案の一実施形態において、該第三移動メカニズムは、第三モーター、螺旋ギア、第三ギアセットを有する。
該第三モーターは、該金属ハウジング上に設置される。
該螺旋ギアは、該第三モーターに連接される。
該第三ギアセットは、該プルーブ上に設置され、該螺旋ギアと相互に噛み合う。
【００１７】
本考案の一実施形態において、該第三移動メカニズムはスイベルプレートをさらに有し、その一端は、該第三ギアセットに連接され、反対端は、該プルーブに連接される。
【００１８】
本考案の一実施形態において、該金属ハウジングは、チタン、アルミニウム或いは銅の内の何れかにより製造される。
【００１９】
本考案の薄型医療定位装置は、金属ハウジングを利用してプルーブに連接され、薄型化によって、医療定位装置の体積を効果的に縮小し、異なる体型の被験者を収容可能とし、高い互換性を達成する。
また、本考案の薄型医療定位装置は第一移動メカニズム、第二移動メカニズム、及び第三移動メカニズムを有し、モーター、ギアとラックの駆動構造により移動の目的を達成するため、メンテナンスに便利である。
【図面の簡単な説明】
【００２０】
【図１】本考案の一実施形態による薄型医療定位装置の立体図である。
【図２】本考案の一実施形態による薄型医療定位装置の立体分解図（一）である。
【図３】本考案の一実施形態による薄型医療定位装置の立体分解図（二）である。
【図４】本考案の一実施形態による薄型医療定位装置の立体分解図（三）である。
【図５】本考案の一実施形態による薄型医療定位装置の実施模式図（一）である。
【図６】本考案の一実施形態による薄型医療定位装置の実施模式図（二）である。
【図７】本考案の一実施形態による薄型医療定位装置の実施模式図（三）である。
【考案を実施するための形態】
【００２１】
（一実施形態）
図１、図２、図３及び図４に示すとおり、本考案の薄型医療定位装置１は、金属ハウジング３２を利用し、医療定位装置１を薄型化する。
このため、異なる体型の被験者を収容可能とし、互換性を高めることができる。
【００２２】
医療定位装置１は、プラットフォーム１１上の目標体に対して定位を行う。
目標体は、被験者であり、プラットフォーム１１により支えられる。
被験者は、プラットフォーム１１上に、うつ伏せ、横たわる、或いは横向きに寝転がり、定位を行う。
プラットフォーム１１は、図１中のディレクションＤが示すとおり、その長辺に沿って移動し、これにより被験者は検査位置まで移動させられる。
【００２３】
医療定位装置１は、ＭＲＩ（ＭａｇｎｅｔｉｃＲｅｓｏｎａｎｃｅＩｍａｇｉｎｇ）装置或いはＣＴ（ＣｏｍｐｕｔｅｄＴｏｍｏｇｒａｐｈｙ）装置であるがこれに制限されない。
医療定位装置１は、２個のレール２、弧状構造３、及びプルーブ４を有する。
【００２４】
該２個のレール２は、プラットフォーム１１長辺に沿ってそれぞれ延伸して設置される。
例えば、２個のレール２は、プラットフォーム１１の上に固定して設置されると、プラットフォーム１１が移動する時、２個のレール２もそれに従い移動する。
或いは、２個のレール２が、プラットフォーム１１の上に固定されておらず、且つプラットフォーム１１の幅が２個のレール２間の距離より小さいと、プラットフォーム１１は、２個のレール２の間で移動する。
【００２５】
弧状構造３の両端は、２個のレール２にそれぞれ連接される。
弧状構造３は、アーチ型で、両末端は、２個のレール２にそれぞれ連接される。
弧状構造３は、弧状構造３とレール２にそれぞれ連接する第一移動メカニズム３１、弧状構造３内側に設置される金属ハウジング３２、金属ハウジング３２と弧状構造３にそれぞれ連接する第二移動メカニズム３３、及び金属ハウジング３２とプルーブ４にそれぞれ連接する第三移動メカニズム３４を有する。
【００２６】
弧状構造３は、第一移動メカニズム３１により、２個のレール２上で、第一ディレクションＤ１に沿って往復移動する。
第一移動メカニズム３１は、第一モーター３１１、第一ギアセット３１２、及び第一ラック３１３を有する。
第一モーター３１１は、弧状構造３の両端の何れかに設置される。
第一ギアセット３１２は、第一モーター３１１に連接される。
第一ラック３１３は、第一ギアセット３１２に対応し、２個のレール２の内の何れかに設置され、第一ギアセット３１２と相互に噛み合う。
【００２７】
金属ハウジング３２は、弧状構造３内側に設置され、チタン、アルミニウム、銅或いは合金等の金属の内の何れかにより製造され、好ましくは、非磁性金属を利用し製造される。
必要に応じて、金属ハウジング３２上には、数個の穿孔（図示なし）を設置し、医療定位装置１の信号伝送遮断を回避することができる。
金属ハウジング３２は、第二移動メカニズム３３により、弧状構造３内側において、第二ディレクションＤ２に沿って往復移動する。
【００２８】
第二移動メカニズム３３は、第二モーター３３１、第二ギアセット３３２、及び第二ラック３３３を有する。
第二モーター３３１は、弧状構造３の内側に設置される。
第二ギアセット３３２は、第二モーター３３１に連接される。
第二ラック３３３は、金属ハウジング３２上に設置され、第二ギアセット３３２と相互に噛み合う。
【００２９】
プルーブ４は、金属ハウジング３２に連接する。
一実施形態では、プルーブ４は、被験者への熱治療に使用するエネルギーコンバーター（図示なし）を連接する。
例えば、エネルギーコンバーターは、超音波エネルギーコンバーターとでき、空間エネルギーを、被験者の目標組織区域に伝送することができる。
【００３０】
一実施形態では、液体を充満させた袋体（図示なし）が、エネルギーコンバーターと結合する。
これにより、エネルギーコンバーターが伝送する空間エネルギーは、袋体を経由し、被験者目標組織区域に到達する時の効果が向上する。
また、プルーブ４は、第三移動メカニズム３４により、プルーブ４を適当な角度に調整し、目標体に対して医療定位を行う。
【００３１】
第三移動メカニズム３４は、第三モーター３４１、螺旋ギア３４２及び第三ギアセット３４３を有する。
第三モーター３４１は、金属ハウジング３２上に設置される。
螺旋ギア３４２は、第三モーター３４１に連接される。
第三ギアセット３４３は、プルーブ４上に設置され、螺旋ギア３４２と相互に噛み合う。
好ましくは、第三移動メカニズム３４はスイベルプレート３４４をさらに有し、その一端は、第三ギアセット３４３に連接され、反対端は、プルーブ４に連接される。
【００３２】
上述の構造、設計における、本考案の使用作動状況について以下に説明する。
同時に図２、図５に示すとおり、本考案の弧状構造３は、第一移動メカニズム３１により、２個のレール２上で、第一ディレクションＤ１に沿って往復移動する。
第一ディレクションＤ１は、図中に示す方向に移動する。
第一移動メカニズム３１が起動すると、第一モーター３１１は回転を開始し、第一ギアセット３１２は回転し、且つ第一ギアセット３１２は、第一ラック３１３上に噛み合う。
第一モーター３１１は、弧状構造３の両端の何れかに設置され、及び第一ラック３１３は、２個のレール２の何れか（第一ギアセット３１２に対応して設置）に設置されるため、弧状構造３は、２個のレール２に相対し、第一ディレクションＤ１に沿って往復移動する。
【００３３】
図３、６に示すとおり、本考案の金属ハウジング３２は、弧状構造３の内側に設置され、且つ第二移動メカニズム３３により、弧状構造３の内側において、第二ディレクションＤ２に沿って往復移動する。
第二ディレクションＤ２は、図中に示す方向に移動する。
第二移動メカニズム３３が起動すると、第二モーター３３１は回転を開始し、これにより第二ギアセット３３２は回転し、且つ第二ギアセット３３２は第二ラック３３３上に噛み合う。
【００３４】
第二モーター３３１は、弧状構造３の内側に設置され、及び第二ラック３３３は、金属ハウジング３２上に設置されるため、金属ハウジング３２は、弧状構造３に相対し、弧状構造３内側において、第二ディレクションＤ２に沿って往復移動する。
【００３５】
図４、図７に示すとおり、本考案におけるプルーブ４は、第三移動メカニズム３４により、プルーブ４を適当な角度に調整し、目標体に対して医療定位を行う。
第三ディレクションＤ３は、図中に示す方向にスイングする。
第三移動メカニズム３４が起動すると、第三モーター３４１は回転を開始し、これにより螺旋ギア３４２は回転し、且つ螺旋ギア３４２は第三ギアセット３４３上に噛み合う。
第三モーター３４１は、金属ハウジング３２上に設置され、及び第三ギアセット３４３は、スイベルプレート３４４上に設置されるため、プルーブ４は金属ハウジング３２に相対し、第三ディレクションＤ３に沿って往復スイングし、プルーブ４を適当な角度に調整する。
【００３６】
すべての図に示したとおり、本考案を従来の技術と比較すると、以下の長所が存在する。
本考案による薄型医療定位装置１は、金属ハウジング３２によりプルーブ４に連接することで、医療定位装置１を薄型化し、医療定位装置１の体積を効果的に縮小する。そのため異なる体型の被験者を収容可能とし、高い互換性を達成する。
【００３７】
前述した本考案の実施形態は本考案を限定するものではなく、よって、本考案により保護される範囲は後述する実用新案登録請求の範囲を基準とする。
【符号の説明】
【００３８】
１      医療定位装置
１１    プラットフォーム
２      レール
３      弧状構造
３１    第一移動メカニズム
３１１  第一モーター
３１２  第一ギアセット
３１３  第一ラック
３２    金属ハウジング
３３    第二移動メカニズム
３３１  第二モーター
３３２  第二ギアセット
３３３  第二ラック
３４    第三移動メカニズム
３４１  第三モーター
３４２  螺旋ギア
３４３  第三ギアセット
３４４  スイベルプレート
４      プルーブ
Ｄ      ディレクション
Ｄ１    第一ディレクション
Ｄ２    第二ディレクション
Ｄ３    第三ディレクション
【図１】
0003200610.tif 000003
【図２】
0003200610.tif 000004
【図３】
0003200610.tif 000005
【図４】
0003200610.tif 000006
【図５】
0003200610.tif 000007
【図６】
0003200610.tif 000008
【図７】
0003200610.tif 000009